(57)【要約】【課題】球振分体の上面を前側または後側の一方向に流下する球が振分突起で左右に振り分けられ、球振分体の上面を前側または後側の他方向に流下する球が振分突起で捕捉されるようにする。【解決手段】上球振分体１７の上面を前側から後側に流下する球が振分突起２１の凸状の前部によって左右に振り分けられ、上球振分体１７の上面を後側から前側に流下する球が振分突起２１の後部の凹状によって捕捉され、この捕捉された球が上球振分体１７の前傾状から後傾状への変化に伴い上球振分体１７の上面を前側から後側に流下する。【選択図】図１
2008036231.tif 000002
【特許請求の範囲】
【請求項１】
遊技基盤の遊技領域に取り付けられる可変入賞装置であって、遊技領域から球を進入させない内部領域を囲む前仕切壁と、遊技領域から球を内部領域に進入させるために前仕切壁に設けられた球取入口部と、球取入口部から内部領域に球を上に載せて前側に流下させる前傾状と後側に流下させる後傾状とを交互に繰り返して可動するように内部領域に設けられた球振分体と、球振分体の上面を前側または後側に流下する球を左右に振り分けるように球振分体に固定的に設けられた振分突起とを備え、振分突起は球振分体の上面を前側または後側の一方向に流下する球を左右に振り分ける凸状であるとともに球振分体の上面を前側または後側の他方向に流下する球を捕捉する凹状に形成されたことを特徴とするパチンコ遊技機の可変入賞装置。
【発明の詳細な説明】
【技術分野】
【０００１】
本発明は、球振分体の上面を前側または後側の一方向に流下する球が振分突起で左右に振り分けられ、球振分体の上面を前側または後側の他方向に流下する球が振分突起で捕捉される可能性の有る、パチンコ遊技機の可変入賞装置に関する。
【背景技術】
【０００２】
図１２は、特許文献１で開示されたパチンコ遊技機の可変入賞装置２０１を示す。図１２において、２０２は筐体、２０３は球入口、２０４は球出口、２０５は球振分体、２０６は振分突起、２０７は当たり球入口、２０８は外れ球入口、２０９は遊技盤、２１０は遊技領域を示す。球が遊技領域２１０から球入口２０３を経由して内部領域に取り込まれると、この内部領域に取り込まれた球は、球振分体２０５の上を後側から前側に流下する過程において、振分突起２０６で左右に振り分けられ、当たり球入口２０７または外れ球入口２０８に取り込まれる。しかしながら、振分突起２０６が球振分体２０５の上を流下する球を左右に振り分けるだけであるという欠点がある。
【特許文献１】特開２００１−２１８９０１号公報
【発明の開示】
【発明が解決しようとする課題】
【０００３】
発明が解決しようとする問題点は、球が振分突起で左右に振り分けられるだけであるという点である。
【課題を解決するための手段】
【０００４】
本発明に係るパチンコ遊技機の可変入賞装置は、遊技基盤の遊技領域に取り付けられる可変入賞装置であって、遊技領域から球を進入させない内部領域を囲む前仕切壁と、遊技領域から球を内部領域に進入させるために前仕切壁に設けられた球取入口部と、球取入口部から内部領域に球を上に載せて前側に流下させる前傾状と後側に流下させる後傾状とを交互に繰り返して可動するように内部領域に設けられた球振分体と、球振分体の上面を前側または後側に流下する球を左右に振り分けるように球振分体に固定的に設けられた振分突起とを備え、振分突起は球振分体の上面を前側または後側の一方向に流下する球を左右に振り分ける凸状であるとともに球振分体の上面を前側または後側の他方向に流下する球を捕捉する凹状に形成されたことを最も主要な特徴とする。
【発明の効果】
【０００５】
本発明に係るパチンコ遊技機の可変入賞装置は、球振分体の上面を前側または後側の一方向に流下する球が振分突起の凸状によって左右に振り分けられ、球振分体の上面を前側または後側の他方向に流下する球が振分突起の凹状に捕捉され、この捕捉された球が球振分体の前傾状から後傾状への変化または後傾状から前傾状への変化に伴い球振分体の上面を前側または後側の一方向に流下し、球振分体の上を流れる球の流れが変化に富み、遊技性に富むという利点がある。
【発明を実施するための最良の形態】
【０００６】
図１乃至図１１は、発明を実施するための最良の形態である。図１は、可変入賞装置１を前側から示す。図２は、可変入賞装置１の正面を示す。図３のａ図乃至ｄ図は、振分突起２１の平面を示す。図４のａ図は、上球振分体１７の正面を示す。図４のｂ図は、上球振分体１７の平面を示す。図４のｃ図は、上球振分体１７の背面を示す。図４のｄ図は、上球振分体１７の右側面を示す。図４のｅ図は、上球振分体１７をＤ−Ｄ線で切断した断面を示す。図５は、振分駆動機構１８を分解して示す。図６は、当たり球誘導体７２および外れ球誘導体７６からなる構造体と裏機構盤５７とを分解して示す。図７のａ図およびｂ図は、当たり球取入部３０と当たり球誘導体７２および外れ球誘導体７６とを前側から示す。図８のａ図は、図７のａ図をＡ−Ａ線で切断した断面を示す。図８のｂ図は、図７のａ図をＢ−Ｂ線で切断した断面を示す。図９は、遊技盤１０７に取り付けられた可変入賞装置１を縦に切断した断面を示す。図１０は、停留駆動機構２３を示すために可変入賞装置１を縦に切断した断面を示す。図１１は、パチンコ遊技機の正面を示す。本明細書において、「前」、「表」、「後」、「裏」、「左」、「右」、「上」、「下」の方向は、図１１の状態にパチンコ遊技機を置いて図１１の紙面の前側から見た場合に特定される方向である。「前」および「表」は、同じ方向である。「後」および「裏」は、同じ方向である。
【０００７】
図１および図２を参照し、パチンコ遊技機の可変入賞装置１の構造について説明する。図１および図２において、２は部品基盤、３は前開口部、４は取付孔、５は前隔壁、６は前仕切壁、７は球取入口部、８は開閉体、９は球導入通路、１０は開閉駆動機構、１１は開閉軸、１２は入球検出部、１３は入球検出器、１４は球導出通路、１５は球誘導通路、１６は通路球出口、１７は上球振分体、１８は振分駆動機構、１９は振分軸、２０は前落下口、２１は振分突起、２２は球停留体、２３は停留駆動機構、２４は停留軸、２５は停留台、２６は中球受容部、２７は側球受容部、２８は停留球検出器、２９は下球振分体、３０は当たり球取入部、３１は球取入駆動機構、３２は外れ球取入部、３３は上化粧体、３４は下化粧体、３５はステージ、３６はステージ入口を示す。振分駆動機構１８の構造については、図５で詳述する。停留駆動機構２３の構造については、図１０で詳述する。
【０００８】
部品基盤２は、遊技盤１０７に前側から取り付けられる可変入賞装置１における前側部品としての土台であって、光遮蔽性の有る有色な合成樹脂により構成される。前開口部３は、部品基盤２の中央部に前後方向への貫通孔として設けられる。取付孔４は、遊技盤１０７に部品基盤２を固定する止ねじを挿入するものであって、部品基盤２の周縁部に前後方向への貫通孔として設けられる。前隔壁５は、前開口部３を塞ぐ板状であって、光透過性の有る無色な合成樹脂により構成され、部品基盤２に固定される。前仕切壁６は、遊技盤１０７の遊技領域１０８から球を進入させない内部領域を囲むものであって、部品基盤２の前面および前隔壁５の前面から前側に突出し、前開口部３の周縁部に沿って、前隔壁５の前面を囲む前面視環状の塀を構成する。球取入口部７は、遊技領域１０８から球を内部領域に進入させるために、前仕切壁６の上部が除去された部分として、前仕切壁６の上部に設けられる。
【０００９】
開閉体８は、左右一対として、球取入口部７に設けられる。球導入通路９は、開閉体８が図２に示すように開放された場合、上方の遊技領域１０８から取り込んだ球を入球検出部１２の側に誘導するものであって、開閉体８の裏面から内部への窪みとして設けられる。開閉駆動機構１０は、上化粧体３３の裏側に設けられ、開閉体８を開閉軸１１を中心として遊技領域１０８と平行しつつ上下方向に開閉する。開閉体８が開閉軸１１を中心として図１に示すように球取入口部７を閉鎖するように閉じられた場合、開閉体８は前仕切壁６に連なる環状を形成し、球取入口部７が球を開閉体８および前仕切壁６の外側から前仕切壁６の内側における前隔壁５の前面の側に取り込めないようになる。つまり、開閉体８が閉じられた場合、開閉体８および前仕切壁６で囲まれた前隔壁５の前面が遊技盤１０７の遊技領域１０８から球を進入させない内部領域となる。
【００１０】
入球検出部１２は、開放した開閉体８の球導入通路９から排出された球を取り込み、取り込んだ球を前隔壁５の裏側に排出するものであって、球取入口部７よりも下部で、球取入口部７の真下に位置し、前隔壁５から前側に突出して、前隔壁５に設けられる。入球検出器１３は、前隔壁５の裏側から入球検出部１２の内部に設けられ、入球検出部１２を通過する球を検出して電気的な球検出信号を図外の制御装置に出力する。球導出通路１４は、入球検出部１２から前隔壁５の裏側に排出された球を、前隔壁５の裏面に沿って球誘導通路１５に誘導する。球導出通路１４の前面は、前隔壁５の裏面で形成される。球導出通路１４の裏面は、前隔壁５の裏側に前隔壁５と平行に配置された上化粧体３３の前面で形成される。球導出通路１４の底面は、前隔壁５の裏面と上化粧体の前面とに連接された横板の上面で形成され、入球検出部１２の球出口から球誘導通路１５の側に下り勾配となる斜面として構成される。
【００１１】
球誘導通路１５は、前隔壁５の裏側において、球導出通路１４から排出された球を、前仕切壁６の裏側に沿って下方に誘導して通路球出口１６から上球振分体１７の上に排出する。通路球出口１６は、球誘導通路１５の内部領域の側を仕切る内壁に左右方向への貫通孔として形成される。上球振分体１７は、球取入口部７から前仕切壁６で囲まれた内部領域に球を上に載せて前側に流下させる前傾状と後側に流下させる後傾状とを交互に繰り返して可動する球振分体を構成し、前仕切壁６で囲まれた内部領域の上下方向の中段に位置するように前隔壁５の裏側に配置された板状に構成され、球誘導通路１５から排出された球を、上下動によって前後方向および左右方向に振り分ける。振分駆動機構１８は、下化粧体３４の裏側やステージ３５の裏側に設けられ、振分軸１９を中心として、上球振分体１７を上下動する。振分軸１９は、上球振分体１７の左右前部に固定的に設けられる。前落下口２０は、前側および上下方向に開口する凹部または上下方向への貫通孔として、上球振分体１７の前部の左右方向中央部に設けられる。振分突起２１は、上球振分体１７の上面から上方に突出する突起として、上球振分体１７の上面に設けられる。
【００１２】
図３にも示すように、振分突起２１の前部２１ａは、上球振分体１７の上面を前側から後側への一方向に流下する球を左右に振り分ける凸状に構成される。振分突起２１の後部２１ｂは、上球振分体１７の上面を後側から前側への他方向に流下する球を捕捉する凹状に構成される。よって、図３のａ図において、実線で示す球Ｐが矢印Ｘ１３で示すように上球振分体１７の上面を前側から後側に流下する場合、球Ｐが振分突起２１の凸状の前部２１ａに接触することよって矢印Ｘ１４および仮想線で示すように左右に振り分けられる。図３のｂ図において、実線で示す球Ｐが矢印Ｘ１５で示すように上球振分体１７の上面を後側から前側に流下する場合、球Ｐが仮想線で示すように振分突起２１の後部２１ｂの凹状に捕捉される。この後部２１ｂの凹状に捕捉された球が上球振分体１７の前傾状から後傾状への変化に伴い上球振分体１７の上面を前側から後側に流下し、上球振分体１７の上を流れる球の流れが変化に富み、遊技性に富むという利点がある。上球振分体１７の構造については、図４で詳述する。図３のｃ図に示すように、前部２１ａの凸状が２つの斜面からなる山形に形成され、後部２１ｂの凹状が２つの斜面からなる山形に形成されてもよい。図３のｄ図に示すように、前部２１ａの凸状が２つの斜面からなる山形に形成され、後部２１ｂの凹状が平面視コ字形に形成されてもよい。図３のａ図に示す前部２１ａの凸状と図３のｃ図に示す後部２１ｂの凹状との組み合わせ、図３のａ図に示す前部２１ａの凸状と図３のｄ図に示す後部２１ｂの凹状との組み合わせでもよい。
【００１３】
球停留体２２は、上球振分体１７と下球振分体２９との間に位置するように前隔壁５の裏側に配置される。停留駆動機構２３は、下化粧体３４の裏側やステージ３５の裏側に設けられ、球停留体２２を左右下部の停留軸２４を中心として前側に垂直状に起立したり後側に水平状に倒伏したりする。球停留体２２が図２に示すように起立した場合、球停留体２２が上球振分体１７の前落下口２０から落下した球を停留台２５の上に停留するように受け止める。球停留体２２が図１に示すように倒伏した場合、停留台２５の上に停留した球が球停留体２２の上を通過して下球振分体２９の上に排出される。
【００１４】
停留台２５は、球停留体２２と前隔壁５との間に配置される。中球受容部２６は、上球振分体１７の前落下口２０の真下に位置し、停留台２５の上面から内部に窪みかつ前後に開口した凹部として、停留台２５の上部の左右方向中央部に設けられる。側球受容部２７は、中球受容部２６の左右に位置する停留台２５の上面に設けられ、中球受容部２６から左側に下り勾配となるように、停留台２５の上面から内部に窪みかつ前後に開口した凹部と、中球受容部２６から右側に下り勾配となるように、停留台２５の上面から内部に窪みかつ前後に開口した凹部とにより構成される。
【００１５】
そして、球停留体２２が起立した状態において、中球受容部２６が上球振分体１７の前落下口２０から落下した１個の球が収容可能であり、側球受容部２７が上球振分体１７の前落下口２０から落下した複数個の球が収容可能である。停留球検出器２８は、中球受容部２６に受容された球を検出して電気的な球検出信号を図外の制御装置に出力するように、停留台２５の内部に設けられる。下球振分体２９は、静止した状態で前隔壁５の裏側に配置され、前側から後側への下り勾配の斜面を構成し、球停留体２２から排出された球を前側から後側に流下させる過程で左右に振り分ける。
【００１６】
当たり球取入部３０は、前面に開口した縦長な溝形状であって、上球振分体１７から後側または下球振分体２９から後側に排出された球を当たり球取入部３０に取り込めるように、上球振分体１７の後側および下球振分体２９の後側にわたって配置される。よって、球取入口部７から前仕切壁６で囲まれた内部領域に取り込まれた球が、上下動する上球振分体１７および下球振分体２９の双方から当たり球取入部３０に取り込まれる可能性があり、遊技性に富むという利点がある。当たり球取入部３０が駆動機構としての球取入駆動機構３１によって左右方向に往復移動するように駆動されるので、球が上下動する上球振分体１７および下球振分体２９の双方から当たり球取入部３０に取り込まれる偶然性が作り出されるという利点がある。当たり球取入部３０が外れ球取入部３２の内部に配置されているので、当たり球取入部３０と外れ球取入部３２とが互いに前後方向に位置をずらして設けられた場合に比べ、装置の前後方向の寸法が小さくなるという利点がある。
【００１７】
球取入駆動機構３１は、下化粧体３４やステージ３５の裏側に配置され、当たり球取入部３０を左右に往復移動する。外れ球取入部３２は、上球振分体１７から後側または下球振分体２９から後側に排出された球を取り込めるように、当たり球取入部３０を左右に移動可能に配置した上方に開口した形状である。つまり、当たり球取入部３０に入らない球が外れ球取入部３２に入る。当たり球取入部３０に入った球は、当たり球取入部３０に対応して設けられた当たり球検出器７５（図６参照）で検出された後に下方に排出される。外れ球取入部３２に入った球は、外れ球取入部３２に対応して設けられた図外の外れ球検出器で検出された後に下方に排出される。
【００１８】
上化粧体３３は、可変入賞装置１の前側から球取入口部７の裏側や入球検出部１２の裏側が見えないように目隠しする有色な合成樹脂により構成され、前隔壁５の前側に設けられる。下化粧体３４は、可変入賞装置１の前側から下球振分体２９よりも下部が見えないように目隠しする有色な合成樹脂により構成され、前隔壁５の前側に設けられる。ステージ３５は、部品基盤２の前面から後側に窪むように有色な合成樹脂により構成され、部品基盤２の前面にだけ開口した空間であって、遊技領域１０８からステージ入口３６を経由して取り込まれた球を、左右に自在に躍らせた後、中央の凹部から下方の遊技領域１０８に落下させる。ステージ入口３６は、遊技領域１０８から前仕切壁６の側に進行した球を斜め上方から下方に取り込んだ後、前側から後側に誘導してステージ３５の右または左の側部に排出する。
【００１９】
可変入賞装置１の前側から上化粧体３３と下化粧体３４との間を通して可変入賞装置１の裏側まで視認可能であるので、上化粧体３３と下化粧体３４との間の裏側を光遮蔽性の有る部材で目隠ししないで、上化粧体３３と下化粧体３４との間の裏側に液晶表示器などからなる画像表示器の表示画面を配置すれば、上球振分体１７、球停留体２２、停留台２５、下球振分体２９、当たり球取入部３０のそれぞれに関わる球と、画像表示器の表示画面で遊技演出として表示される画像との双方を、可変入賞装置１の前側から遊技者に見せられるという利点がある。
【００２０】
図４を参照し、上球振分体１７の構造について説明する。上球振分体１７を上から見た場合、振分突起２１は、前後方向に３列に配置される。各列では、複数の振分突起２１が１個の球が前後方向に通過する間隔で左右方向に離れている。最前列の振分突起２１と中間列の振分突起２１との間、中間列の振分突起２１と最後列の振分突起２１との間は、１個の球が前後方向に通過する間隔で前後方向に離れている。最前列における１つの振分突起２１が中間列における左右に並ぶ２つの振分突起２１の間に位置し、中間列における１つの振分突起２１が最後列における左右に並ぶ２つの振分突起２１の間に位置するように、多数の複数の振分突起２１が千鳥足配置となるように配置される。振分突起２１は、上から見た場合、前側から後側に突出する形状であって、上球振分体１７の上面を前側から後側に流下する球を左右に振り分け、上球振分体１７の上面を後側から前側に流下する球を捕捉可能である。振分突起２１における上球振分体１７の上面を前側から後側に流下する球を左右に振り分ける前縁部の形状は、弧状や２つの斜線からなる山形など凸状であればよい。振分突起２１における上球振分体１７の上面を後側から前側に流下する球を捕捉可能な後縁部の形状は、弧状や２つの斜線からなる山形など凹状であればよい。
【００２１】
上球振分体１７の上面には、中央小山部１７ａおよび端傾斜部１７ｂが設けられる。中央小山部１７ａは、上球振分体１７の後縁部と前落下口２０との間において、上球振分体１７の上面から上方に弧状に突出し、上球振分体１７の後縁部から前落下口２０に行くにしたがって徐々に低くなる形状である。端傾斜部１７ｂは、上球振分体１７の左右縁部と前落下口２０との間において、上球振分体１７の上面から上方に斜めに突出し、上球振分体１７の左右縁部から前落下口２０に行くにしたがって徐々に低くなる形状である。仮想線Ｌは、中央小山部１７ａおよび端傾斜部１７ｂの境を示す。よって、球が上球振分体１７の上面を前側から後側に流下する場合、矢印Ｘ１０で示すように、最前列における左右の端の２つの振分突起２１の間に向かうことが多くなる。球が上球振分体１７の上面を後側から前側に流下する場合、矢印Ｘ１１で示すように、前落下口２０に向かうことが多くなる。
【００２２】
図５を参照し、振分駆動機構１８の構造について説明する。図５において、３７は後隔壁、３８はカバー、３９は案内部材、４０はモータ取付部、４１は振分モータ、４２はカム、４３は昇降体、４４はカムフォロア、４５は被案内部材、４６は連結孔、４７はレバー、４８は固定取付部、４９は回転連結部、５０は抜止部材、５１；５２は止ねじを示す。
【００２３】
後隔壁３７は、上球振分体１７および下球振分体２９などの配置される空間を囲むように、部品基盤２の裏部に設けられる。カバー３８は、後隔壁３７よりも下部において、部品基盤２の裏部に設けられる。案内部材３９は、被案内部材４５を上下方向に案内するものであって、カバー３８の裏面に左右に分かれて設けられる。モータ取付部４０は、下球振分体２９の下部に設けられる。振分モータ４１は、ステップモータにより構成され、モータ取付部４０に取り付けられる。カム４２は、楕円形であって、振分モータ４１のモータ軸のような出力軸に固定される。昇降体４３は、横基部の左右方向の両端から上方に突出した２本の腕を有する。
【００２４】
カムフォロア４４は、カム４２を受容する凹部を構成し、昇降体４３における横基部の左右方向の中央部から上方に突出するように、昇降体４３に設けられる。被案内部材４５は、カムフォロア４４の両側に分かれ、昇降体４３における横基部から下方に突出するように、昇降体４３に設けられる。連結孔４６は、左右方向への貫通孔として、昇降体４３における２本の腕の上端部に設けられる。レバー４７は、左右一対として構成される。固定取付部４８は、レバー４７の前端部に設けられる。回転連結部４９は、レバー４７の後端部に設けられる。抜止体５０は、回転連結部４９と連結孔４６との脱落を防止するものである。止ねじ５１は、レバー４７と振分軸１９とを相互に固定する固定具を構成する。止ねじ５２は、昇降体４３およびレバー４７を相互に動くように連結する固定具を構成する。
【００２５】
振分駆動機構１８が部品基盤２や上球振分体１７に取り付けられる場合について説明する。レバー４７の固定取付部４８が後隔壁３７から外側に突出した振分軸１９の一端部に止ねじ５１で固定される。昇降体４３における２本の腕が後隔壁３７の左右の外側に配置され、昇降体４３の連結孔４６がレバー４７の回転連結部４９に嵌め込まれた後、抜止体５０が回転連結部４９に昇降体４３の外側から止ねじ５２で固定され、回転連結部４９が昇降体４３における２本の腕に回転可能に連結される。また、カムフォロア４４がカム４２に嵌め込まれ、被案内部材４５が案内部材３９に上方から嵌め込まれる。これによって、振分駆動機構１８が部品基盤２および上球振分体１７に組み付けられる。
【００２６】
このように組み立てられた振分駆動機構１８において、振分モータ４１が図外の制御装置からの電力によって駆動し、カム４２が一方向に回転すると、カムフォロア４４がカム４２の１回転に対し２回の割合で昇降し、被案内部材４５が案内部材３９に嵌め込まれたまま昇降し、昇降体４３が昇降し、レバー４７の回転連結部４９が固定取付部４８を中心として昇降し、振分軸１９がレバー４７の昇降に伴い正逆転し、上球振分体１７が振分軸１９を中心として上下方向に往復移動する。カムフォロア４４がカム４２の１回転に対し２回の割合で昇降するので、振分モータ４１の出力軸の１回転に対し、上球振分体１７が振分軸１９を中心として上下方向に２往復する。カム４２の１回転に対し、カムフォロア４４および上球振分体１７が昇降する割合は１回または３回以上であってもよい。
【００２７】
図６を参照し、可変入賞装置１の後側の構造について説明する。図６において、５５は可動基部、５６は案内突起、５７は裏機構盤、５８は後開口部、５９は逃避孔、６０は回路基板、６１は位置検出器、６２はコネクタ、６３は入賞モータ、６４は駆動歯車、６５はカム部材、６６はカム、６７は従動歯車、６８はスライダ、６９は被検出体、７０は軸受体、７１は保護板、７２は当たり球誘導体、７３は誘導斜面、７４は当たり球出口、７５は当たり球検出器、７６は外れ球誘導体、７７は案内溝、７８は外れ球通路、７９は上面部、８０は外れ球出口、８１；８２；８３は止ねじを示す。位置検出器６１、入賞モータ６３、駆動歯車６４、カム部材６５、カム６６、従動歯車６７、スライダ６８、被検出体６９、軸受体７０が、球取入駆動機構３１を構成する。
【００２８】
可動基部５５は、当たり球取入部３０の下部に設けられ、当たり球取入部３０に取り込まれた当たり球を下方に排出するとともに外れ球を取り込まないようにするように、当たり球取入部３０と下方とに開口した筒状であって、当たり球取入部３０よりも左右方向の横幅が大きくなっている。案内突起５６は、可動基部５５の前面から前側に突出した突起として、可動基部５５の前面に設けられる。裏機構盤５７は、遊技盤１０７（図９参照）に後側から取り付けられる可変入賞装置１における後側部品としての土台であって、当たり球取入部３０および球取入駆動機構３１を組み付ける躯体として、前側に開口した箱状に構成される。後開口部５８は、前後方向への貫通孔として、裏機構盤５７の背壁に設けられる。逃避孔５９は、後開口部５８よりも下部に位置し、横長な前後方向への貫通孔として、裏機構盤５７の背壁に設けられる。可動基部５５が裏機構盤５７の背壁の前に配置され、止ねじ８１がスライダ６８の裏側から逃避孔５９を経由して可動基部５５に固定される。これによって、当たり球取入部３０が裏機構盤５７に対し左右方向に往復移動可能になるようにスライダ６８に取り付けられる。
【００２９】
回路基板６０は、裏機構盤５７の背壁に取り付けられるプリント基板から構成される。位置検出器６１は、左・中・右の３つの位置に分かれ、回路基板６０の上に実装される。コネクタ６２は、位置検出器６１よりも後部に位置し、回路基板６０の上に実装される。コネクタ６２には図外の制御装置が配線で接続される。位置検出器６１の電気的な入出力端子およびコネクタ６２の電気的な接続端子は、回路基板６０に設けられた図外のプリント配線のような導電体で相互に接続される。入賞モータ６３は、ステップモータにより構成され、裏機構盤５７の背壁に取り付けられる。駆動歯車６４は、平歯車により構成され、入賞モータ６３のモータ軸のような出力軸に固定される。カム部材６５は、左右方向に直線的に延びる丸棒として構成される。カム６６は、カム部材６５の外周面に螺旋状に形成された溝カムとして構成される。従動歯車６７は、平歯車により構成され、カム部材６５の一端部である右端部に固定され、駆動歯車６４に噛み合わされる。スライダ６８は、カム６６によって左右方向に移動される部材であって、カム部材６５に装着される。スライダ６８がカム部材６５に装着される場合、スライダ６８のカム部材６５の外周面に対向する面に突起として設けられた図外のカムフォロアがカム６６に嵌め込まれる。被検出体６９は、スライダ６８から下方に突出した突起として、スライダ６８に設けられる。軸受体７０は、カム部材６５の両端部に回転可能に支持し、裏機構盤５７の背壁に取り付けられる。
【００３０】
入賞モータ６３の出力軸が図外の制御装置からの電力によって一方向に回転駆動し、駆動歯車６４と従動歯車６７およびカム６６が一方向に回転するのに伴い、スライダ６８がカム部材６５に沿って左右の一方向例えば左から右に移動し、当たり球取入部３０が左から右に移動する。そして、右の位置検出器６１が被検出体６９を検出して電気的な位置検出信号を図外の制御装置に出力し、当該制御装置が極性の切り替えられた電力を入賞モータ６３に供給する。これによって、入賞モータ６３の出力軸が上記と逆の方向である他方向に回転駆動し、駆動歯車６４と従動歯車６７およびカム６６が他方向に回転するのに伴い、スライダ６８がカム部材６５に沿って右から左に移動し、当たり球取入部３０が右から左に移動する。そして、左の位置検出器６１が被検出体６９を検出して電気的な位置検出信号を図外の制御装置に出力し、当該制御装置が再び極性の切り替えた電力を入賞モータ６３に供給し、入賞モータ６３の出力軸が再び一方向に回転駆動する。このように図外の制御装置から入賞モータ６３に供給される電力の極性が切り替わり、当たり球取入部３０が左右方向に往復移動する。
【００３１】
保護板７１は、後開口部５８を塞ぐ板状であって、光透過性の有る無色な合成樹脂により構成される。最良の形態では、裏機構盤５７に後開口部５８を設け、後開口部５８を保護板７１で閉鎖するように、保護板７１を裏機構盤５７に取り付けたので、画像表示器を裏機構盤５７の裏側に配置する場合、裏機構盤５７よりも小形な保護板７１を透明度の高い合成樹脂で構成すれば、画像表示器が可変入賞装置１の奥行寸法の大きな裏側に配置されても、画像表示器の表示画面に表示された画像を可変入賞装置１の前側から遊技者に鮮明に見せることができるという利点がある。この場合、前隔壁５の保護板７１と対応する部分が前隔壁５と別部材として構成され、この別部材として構成された前隔壁５の保護板７１と対応する部分が透明度の高い合成樹脂で構成されれば、上記画像表示器の表示画面に表示された画像を可変入賞装置１の前側から遊技者に一層鮮明に見せることができるという利点がある。
【００３２】
当たり球誘導体７２は、可動基部５５から排出された当たり球を下方に誘導するものであって、可動基部５５よりも下部に位置するように、裏機構盤５７の前部に取り付けられる。誘導斜面７３は、左右側部から当たり球出口７４に向けて下り勾配となり、かつ、後側から前側に向けて下り勾配となる斜面として、当たり球誘導体７２の上面に設けられる。当たり球出口７４は、上下方向への貫通孔として、当たり球誘導体７２の左右方向中央部に設けられる。当たり球検出器７５は、当たり球出口７４に設けられ、当たり球出口７４を通過する球を検出して電気的な球検出信号を図外の制御装置に出力する。
【００３３】
外れ球誘導体７６は、当たり球取入部３０よりも左右方向外側を通過して外れ球取入部３２に取り込まれた外れ球を下方に誘導するものであって、可動基部５５および当たり球誘導体７２を前側から覆うように、裏機構盤５７の前部に取り付けられる。案内溝７７は、案内突起５６を左右方向に移動可能に嵌め込むものであって、前後方向に貫通する横長な孔として、外れ球誘導体７６に設けられる。外れ球通路７８は、外れ球取入部３２から可動基部５５よりも左右方向外側を通過して誘導斜面７３から前側に排出された外れ球を取り込んで中央部の側から左右方向外側に誘導するように、外れ球誘導体７６に設けられる。上面部７９は、外れ球通路７８の上面部である。当たり球誘導体７２が後側になり、外れ球誘導体７６が前側になるように、当たり球誘導体７２および外れ球誘導体７６が互いに結合された場合、誘導斜面７３と上面部７９とが互いに平行となり、誘導斜面７３と上面部７９との間には１個の球を誘導斜面７３の側から外れ球通路７８の側に通過可能な隙間が形成される。外れ球出口８０は、外れ球通路７８から左右方向外側に誘導された球を下方に排出するように、外れ球誘導体７６に左右に分かれて設けられる。
【００３４】
当たり球誘導体７２および外れ球誘導体７６からなる構造体が裏機構盤５７に前側から取り付けられる場合、当たり球誘導体７２が可動基部５５よりも下部に配置され、可動基部５５の案内突起５６が案内溝７７に挿入され、当たり球取入部３０が外れ球誘導体７６の外れ球取入部３２より上方に突出し、止ねじ８２が外れ球誘導体７６の前側から裏機構盤５７に締結され、止ねじ８３が裏機構盤５７の裏側から当たり球誘導体７２に締結される。これによって、当たり球誘導体７２および外れ球誘導体７６が、当たり球取入部３０および球取入駆動機構３１の組み付けられた裏機構盤５７に取り付けられる。
【００３５】
図７および図８を参照し、当たり球取入部３０と当たり球誘導体７２および外れ球誘導体７６における相互関係について説明する。図７のａ図に示すように、当たり球取入部３０が外れ球出口８０の左右方向の中央に位置した場合、当たり球取入部３０が当たり球出口７４の真上に位置し、当たり球取入部３０と外れ球取入部３２との左右方向の隙間は、球が通過可能な寸法になる。図７のａ図において、球Ｐ１が下球振分体２９から当たり球取入部３０に取り込まれた場合、球Ｐ１は、図７のａ図に矢印Ｘ１で示すように、または、図８のａ図に矢印Ｘ５で示すように、当たり球取入部３０から可動基部５５の内部および当たり球出口７４を経由して下方に排出される。また、図７のａ図において、球Ｐ２が下球振分体２９から当たり球取入部３０と外れ球取入部３２との左右方向の隙間に取り込まれた場合（球Ｐ２が下球振分体２９から外れ球取入部３２に取り込まれた場合と同じ）、球Ｐ２は、図７のａ図に矢印Ｘ２で示すように、または、図８のｂ図に矢印Ｘ６で示すように、外れ球取入部３２から誘導斜面７３に落下した後、誘導斜面７３と上面部７９との間の隙間から外れ球通路７８および外れ球出口８０を経由して下方に排出される。
【００３６】
図７のｂ図に示すように、当たり球取入部３０が外れ球出口８０の左右方向の例えば最も左側に移動した場合、当たり球取入部３０が誘導斜面７３の真上に位置し、当たり球取入部３０と後隔壁３７の左縦壁３７ａとの左右方向の隙間Ｈ１は、球が通過不可能な寸法になり、とりわけ、１個の球の半径よりも小さな寸法になる。図７のｂ図において、球Ｐ３が下球振分体２９から当たり球取入部３０に取り込まれた場合、球Ｐ３は、図７のｂ図に矢印Ｘ３で示すように、当たり球取入部３０から可動基部５５の内部を経由して誘導斜面７３に落下した後、誘導斜面７３から当たり球出口７４を経由して下方に排出される。また、図７のｂ図において、球Ｐ４が下球振分体２９から当たり球取入部３０と外れ球取入部３２との左右方向の隙間に取り込まれた場合、球Ｐ４は、図７のｂ図に矢印Ｘ４で示すように、または、図８のｂ図に矢印Ｘ６で示すように、外れ球取入部３２から誘導斜面７３に落下した後、誘導斜面７３と外れ球通路７８における上面部７９との間の隙間から外れ球通路７８および外れ球出口８０を経由して下方に排出される。
【００３７】
図７のｂ図に示すように、当たり球取入部３０が外れ球出口８０の左右方向の例えば最も左側に移動した場合、当たり球取入部３０と後隔壁３７の左縦壁３７ａとの左右方向の隙間Ｈ１が球の半径よりも小さな寸法になっている。当たり球取入部３０における左または右の側壁３０ｃの前面３０ｄは、当たり球取入部３０の外側から内側に行くにしたがって前側から後側に傾斜する斜面として構成される。よって、球Ｐ５が左縦壁３７ａに接触しつつ下球振分体２９の上を前側から後側に流下して左の側壁３０ｃの前部に衝突した場合、球Ｐ５が矢印Ｘ７で示すように隙間Ｈ１に詰まることなく側壁３０ｃの前部から当たり球取入部３０に取り込まれる。
【００３８】
図８のａ図において、球Ｐ６が上球振分体１７から当たり球取入部３０に取り込まれた場合、球Ｐ６は図８のａの図に矢印Ｘ８およびＸ５で示すように、当たり球取入部３０から可動基部５５の内部および当たり球出口７４を経由して下方に排出される。図８のｂ図において、球Ｐ７が上球振分体１７から当たり球取入部３０に取り込まれた場合、球Ｐ７は図８のｂの図に矢印Ｘ９およびＸ６で示すように、当たり球取入部３０から可動基部５５の内部および当たり球出口７４を経由して下方に排出される。
【００３９】
図９を参照し、振分駆動機構１８の動作について説明する。カム４２が一方向に回転すると、カムフォロア４４が昇降し、上球振分体１７が振分軸１９を中心として実線示位置と仮想線示位置とに上下動する。上球振分体１７が仮想線で示すように前傾状となり、上球振分体１７の後部が前部よりも上方に位置した場合、球が上球振分体１７の上面を後側から前側に流下するようになる。上球振分体１７が実線で示すように後傾状となり、上球振分体１７の前部が後部よりも上方に位置した場合、球が上球振分体１７の上面を前側から後側に流下するようになる。球Ｐが、矢印Ｘ１２で示すように、遊技領域１０８から開閉体８の開放された球取入口部７、入球検出部１２、入球検出器１３、球導出通路１４、球誘導通路１５、通路球出口１６を経由して上球振分体１７の上に排出される。この上球振分体１７の上に排出された球Ｐは、上球振分体１７の振分軸１９を中心とした上下動に伴い、上球振分体１７の後側から当たり球取入部３０または外れ球取入部３２の何れか一方に取り込まれるか、または、上球振分体１７の前側の前落下口２０から下球振分体２９に落下し、下球振分体２９の後側から当たり球取入部３０または外れ球取入部３２の何れか一方に取り込まれる。
【００４０】
図９を参照し、部品基盤２および裏機構盤５７からなる可変入賞装置１の構造について説明する。図９において、４１は振分モータ、４２はカム、４４はカムフォロア、４３は昇降体、４７はレバー、１０７は遊技盤、１１２は逃避孔を示す。振分モータ４１、カム４２、カムフォロア４４、昇降体４３、レバー４７が、振分駆動機構１８を構成する。振分モータ４１は、ステップモータにより構成され、後隔壁３７に取り付けられる。カム４２は、楕円形であって、振分モータ４１のモータ軸のような出力軸に固定される。カムフォロア４４は、昇降体４３の下端部に設けられ、カム４２を受容する。レバー４７は、振分軸１９の左右両端部に固定的に設けられる。レバー４７における振分軸１９の径方向外側に突出する先端部と昇降体４３の上端部とが互いに回転可能に連結される。
【００４１】
振分モータ４１が図外の制御装置からの電力によって駆動し、カム４２が一方向に回転すると、カムフォロア４４がカム４２の１回転に対し２回の割合で昇降し、昇降体４３が昇降し、レバー４７が振分軸１９を中心として昇降し、振分軸１９がレバー４７の昇降に伴い正逆転し、上球振分体１７が振分軸１９を中心として実線示位置と仮想線示位置とに上下方向に往復移動する。カムフォロア４４がカム４２の１回転に対し２回の割合で昇降するので、振分モータ４１の出力軸の１回転に対し、上球振分体１７が振分軸１９を中心として上下方向に２往復する。カム４２の１回転に対し、カムフォロア４４および上球振分体１７が昇降する割合は１回または３回以上であってもよい。
【００４２】
上球振分体１７が仮想線で示すように前傾状となり、上球振分体１７の後部が前部よりも上方に位置した場合、球が上球振分体１７の上面を後側から前側に流下するようになる。上球振分体１７が実線で示すように後傾状となり、上球振分体１７の前部が後部よりも上方に位置した場合、球が上球振分体１７の上面を前側から後側に流下するようになる。球Ｐが、矢印Ｘ１０で示すように、遊技領域１０８から開閉体８の開放された球取入口部７、入球検出部１２、入球検出器１３、球導出通路１４、球誘導通路１５、通路球出口１６を経由して上球振分体１７の上に排出される。この上球振分体１７の上に排出された球Ｐは、上球振分体１７の振分軸１９を中心とした上下動に伴い、上球振分体１７の後側から当たり球取入部３０または外れ球取入部３２の何れか一方に取り込まれるか、または、上球振分体１７の前側の前落下口２０から下球振分体２９に落下し、下球振分体２９の後側から当たり球取入部３０または外れ球取入部３２の何れか一方に取り込まれる。
【００４３】
逃避孔１１２は、部品基盤２から裏側に突出する後隔壁３７やカバー３８および振分駆動機構１８などの裏側突出部を逃げる前後方向への貫通孔として、遊技盤１０７に設けられる。そして、部品基盤２から裏側に突出する裏側突出部が遊技盤１０７の前側から逃避孔１１２に挿入され、部品基盤２の裏面が遊技盤１０７の前面に重ね合わされて逃避孔１１２を塞ぐ。そして、図外の止ねじが部品基盤２の前側から取付孔４（図１参照）を経由して遊技盤１０７に締結され、部品基盤２が遊技盤１０７に取り付けられる。当たり球取入部３０が遊技盤１０７の裏面に向けられ、裏機構盤５７が遊技盤１０７の裏面に図外の止ねじで取り付けられる。
【００４４】
図１０を参照し、停留駆動機構２３の構造について説明する。図１０において、９１は電磁ソレノイド、９２はレバー、９３は連結部材、９４はレバー軸、９５はアームを示す。電磁ソレノイド９１は、下球振分体２９の下部に取り付けられる。電磁ソレノイド９１における前後方向に駆動するプランジャには、レバー９２の中間部が、ピンのような連結部材９３で回転可能に連結される。レバー９２の下端部は、レバー軸９４で後隔壁３７に回転可能に取り付けられる。アーム９５は、球停留体２２に固定される。アーム９５の端部とレバー９２の下端部とが互いに回転可能に連結される。
【００４５】
球停留体２２が実線で示すように下球振分体２９の上に重なるようにレバー軸９４よりも前側に倒伏した状態において、電磁ソレノイド９１が図外の制御装置からの電力によって駆動し、電磁ソレノイド９１のプランジャが前側から後側に電磁ソレノイド９１に発生した磁力で引き込まれるのに伴い、レバー９２がレバー軸９４を中心として実線示位置から仮想線示位置へと前側から後側に回転し、下球振分体２９が停留軸２４を中心として実線示位置から仮想線示位置へと後側から前側に起立して停留台２５の後側に立ち塞がる。これによって、球停留体２２が上球振分体１７の前落下口２０から落下した球を停留台２５の上に停留するように受け止める。
【００４６】
前記電磁ソレノイド９１への制御装置からの電力供給が停止すると、電磁ソレノイド９１での磁力が消滅し、電磁ソレノイド９１のプランジャが前側から後側に図外のばねで突出されるのに伴い、レバー９２がレバー軸９４を中心として仮想線示位置から実線示位置へと後側から前側に回転し、下球振分体２９が停留軸２４を中心として仮想線位置から実線示位置へと前側から後側に倒伏して下球振分体２９の上に重なる。これによって、停留台２５の上に停留した球が球停留体２２の上を通過して下球振分体２９の上に排出される。
【００４７】
図１１を参照し、パチンコ遊技機の構造について説明する。図１１において、１０１は遊技機枠、１０２は窓、１０３は前面パネル、１０４は球受皿、１０５は球発射操作機構、１０６は球発射機構、１０７は遊技盤、１０８は遊技領域、１０９はガイドレール、１１０はアウト口、１１１は始動部品を示す。
【００４８】
遊技機枠１０１は、遊技機設置構造体に設置される容器を構成する。遊技機設置構造体は、遊技店のパチンコ遊技機を設置する島とも呼ばれる設備である。窓１０２は、前後方向への貫通孔として、遊技機枠１０１の前面に形成される。前面パネル１０３は、窓１０２を閉鎖するガラスのような無色の光透過性の有る材料から構成され、遊技機枠１０１の内部に設けられる。球受皿１０４は、パチンコ球と呼ばれる球を入れる容器として、遊技機枠１０１の前面に設けられる。球発射操作機構１０５は、遊技者の操作量に応じた出力を図外の制御装置に出力する電気部品を有する機構として、遊技機枠１０１の前面に設けられる。球発射機構１０６は、図外の制御装置からの制御によって球発射操作機構１０５の操作量に応じた発射力で駆動する機構として、遊技機枠１０１の内部に設けられる。
【００４９】
遊技盤１０７は、遊技機枠１０１に格納される。遊技盤１０７が遊技機枠１０１に格納された場合、可変入賞装置１、遊技領域１０８、ガイドレール１０９、アウト口１１０、始動部品１１１が、遊技機枠１０１の前側から窓１０２および前面パネル１０３を通して視認可能になる。遊技領域１０８は、球発射機構１０６から発射された球の飛び交う領域として、前面パネル１０３と遊技盤１０７の前面との間におけるガイドレール１０９で囲まれた部分として形成される。ガイドレール１０９は、遊技機枠１０１または遊技盤１０７に設けられる。アウト口１１０は、遊技領域１０８の最下部に到達した球を遊技盤１０７の裏側に排出する部分として遊技盤１０７に設けられる。可変入賞装置１や始動部品１１１および図外の一般入賞部品は、遊技領域１０８から入賞した球を遊技盤１０７の裏側に排出する部品として、遊技盤１０７に設けられる。遊技盤１０７の前面には、図外の図柄表示器が設けられる。
【００５０】
遊技者が球受皿１０４にパチンコ球と呼ばれる球を入れ、遊技者が球発射操作機構１０５を右回りに操作すると、球発射機構１０６が球発射操作機構１０５の操作量に応じた発射力で駆動し、球発射機構１０６が球受皿１０４から遊技機枠１０１の内部に取り込まれた球を１個ずつ遊技領域１０８に向けて発射する。遊技領域１０８に到達した球は、遊技領域１０８を流下する過程において、可変入賞装置１や始動部品１１１および図外の一般入賞部品などの遊技部品に衝突して、流れる方向を変えながら、可変入賞装置１または始動部品１１１または図外の一般入賞部品に入って遊技盤１０７の裏側に排出される。可変入賞装置１または始動部品１１１または図外の一般入賞部品のいずれにも入らないで、遊技領域１０８の最下部に到達した球は、アウト口１１０から遊技盤１０７の裏側に排出される。球が始動部品１１１、可変入賞装置１の入球検出器１３、図外の入賞部品のいずれかに入ると、図外の球払出機構が賞球としての球を遊技者に与えるように球受皿１０４に払い出す。
【００５１】
パチンコ遊技の一例について説明する。遊技領域１０８を流下する球が始動部品１１１に入賞し、始動部品１１１に入賞した球を検出した入賞球検出器が入賞信号を制御装置に出力すると、制御装置に内蔵されたコンピュータが内部抽選処理および図外の図柄表示器に主図柄の変動表示を開始させる。内部抽選処理の結果としては、例えば、大当たりまたは小当たりのいずれかが選択される。大当たりの場合、主図柄の変動表示を開始から所定時間後に、制御装置のコンピュータが図柄表示器に主図柄の変動停止を行い、図柄表示器が大当たり図柄として定められた主図柄を停止表示する。引き続き、制御装置のコンピュータが大当たり遊技として制御装置のコンピュータのプログラムに定められたラウンド遊技を処理するように開閉駆動機構１０（図１参照）を制御し、可変入賞装置１の開閉体８が開閉をラウンド遊技の範囲で繰り返す。
【００５２】
小当たりの場合、主図柄の変動表示を開始から所定時間後に、制御装置のコンピュータが図柄表示器に主図柄の変動停止を行い、図柄表示器が小当たり図柄として定められた主図柄を停止表示する。引き続き、制御装置のコンピュータが小当たり遊技として制御装置のコンピュータのプログラムに定められた範囲で開閉駆動機構１０を制御し、可変入賞装置１の開閉体８が開閉を１回または数回行う。この小当たり遊技中における開閉体８の開放中において、球が遊技領域１０８から開いた開閉体８、球取入口部７、入球検出部１２、球導出通路１４、球誘導通路１５、上球振分体１７または球停留体２２、停留台２５、下球振分体２９を順に経由して当たり球取入部３０に入賞し、当たり球検出器７５が球検出信号を制御装置に出力すると、制御装置のコンピュータがラウンド遊技を処理するように開閉駆動機構１０を制御し、可変入賞装置１の開閉体８が開閉をラウンド遊技の範囲で繰り返す。制御装置は、入球検出器１３からの球検出信号と外れ球検出器からの球検出信号と当たり球検出器７５からの入賞信号とによって、可変入賞装置１への球の入りと出とを監視する。
【産業上の利用可能性】
【００５３】
振分突起２１の前部２１ａが上球振分体１７の上面を前側から後側への一方向に流下する球を捕捉する凹状に構成され、振分突起２１の後部２１ｂが上球振分体１７の上面を後側から前側への他方向に流下する球を左右に振り分ける凸状に構成され、上球振分体１７の上面を前側から後側に流下する球が振分突起２１の前部２１ａの凹状に捕捉され、この捕捉された球が上球振分体１７の前傾状から後傾状への変化に伴い上球振分体１７の上面を後側から前側に流下し、上球振分体１７の上面を後側から前側に流下する球が振分突起２１の凸状の後部２１ｂによって左右に振り分けられるようにしてもよい。
【００５４】
球が上球振分体１７および下球振分体２９の双方から当たり球取入部３０に取り込まれる偶然性が最良の形態よりも減少するが、球取入駆動機構３１が設けられることなく、当たり球取入部３０が左右方向に移動することなく、当たり球取入部３０が上球振分体１７から後側に落下する球および下球振分体２９の後側から落下する球を取り込むことが可能なように、当たり球取入部３０が上球振分体１７の後側および下球振分体２９の後側にわたり固定的に設けられれば、球取入駆動機構３１を設けないだけ構造が簡単となる。
【００５５】
最良の形態では、当たり球取入部３０の前面が上球振分体１７および下球振分体２９にわたり開口した縦長な溝形状として構成されたが、当たり球取入部３０が上球振分体１７および下球振分体２９にわたる縦長な筒状に形成され、当該筒状における上球振分体１７に対応する前面および下球振分体２９に対応する前面に上球振分体１７から後側に排出された球または下球振分体２９から後側に排出された球を当たり球取入部３０に個別に取り込めるような貫通孔を個別に形成してもよい。
【００５６】
当たり球取入部３０と外れ球取入部３２とが互いに前後方向に位置をずらして設けられてもよい。当たり球取入部３０を外れ球取入部と設定し、外れ球取入部３２を当たり球取入部と設定することによって、外れ球取入部を当たり球取入部の内部に配置してもよい。この場合、当たり球取入部と設定された外れ球取入部３２の横幅を、外れ球取入部と設定された当たり球取入部３０の横幅よりも広く形成すれば、上球振分体１７または下球振分体２９から球が外れ球取入部と設定された当たり球取入部３０に取り込まれるよりも外れ球取入部と設定された当たり球取入部３０に取り込まれやすくなる。外れ球取入部３２の内部に配置した当たり球取入部３０を球取入駆動機構３１で左右方向に往復移動するように駆動したが、当たり球取入部の内部に配置した外れ球取入部３２を球取入駆動機構３１で左右方向に往復移動するように駆動してもよい。
【００５７】
開閉体８は設けなくてもよい。つまり、球が遊技領域１０８から球取入口部７を経由して前仕切壁６で囲まれた内部領域に入る構造でもよい。下球振分体２９はなくてもよい。
【図面の簡単な説明】
【００５８】
【図１】可変入賞装置の斜視図（最良の形態）。
【図２】可変入賞装置の正面図（最良の形態）。
【図３】ａ図乃至ｄ図は振分突起の平面図（最良の形態）。
【図４】ａ図は上球振分体の正面図、ｂ図は上球振分体の平面図、ｃ図は上球振分体の背面図、ｄ図は上球振分体の右側面図、ｅ図は上球振分体のＤ−Ｄ線断面図（最良の形態）。
【図５】振分駆動機構の分解斜視図（最良の形態）。
【図６】当たり球誘導体および外れ球誘導体からなる構造体と裏機構盤との分解斜視図（最良の形態）。
【図７】ａ図およびｂ図は当たり球取入部と当たり球誘導体および外れ球誘導体とを前側から示す模式図（最良の形態）。
【図８】ａ図は図７のａ図のＡ−Ａ線断面図、ｂ図は図７のａ図のＢ−Ｂ線断面図（最良の形態）。
【図９】遊技盤に取り付けられた可変入賞部品の縦断面図（最良の形態）。
【図１０】停留駆動機構周りの可変入賞部品の縦断面図（最良の形態）。
【図１１】パチンコ遊技機の正面図（最良の形態）。
【図１２】可変入賞装置の斜視図（従来）。
【符号の説明】
【００５９】
１    可変入賞部品
２    部品基盤
６    前仕切壁
７    球取入口部
１７  上球振分体
１８  振分駆動機構
３１  球取入駆動機構
【図１】
2008036231.tif 000003
【図２】
2008036231.tif 000004
【図３】
2008036231.tif 000005
【図４】
2008036231.tif 000006
【図５】
2008036231.tif 000007
【図６】
2008036231.tif 000008
【図７】
2008036231.tif 000009
【図８】
2008036231.tif 000010
【図９】
2008036231.tif 000011
【図１０】
2008036231.tif 000012
【図１１】
2008036231.tif 000013
【図１２】
2008036231.tif 000014